(57)【要約】【課題】デザイン性に優れるとともに、埃の侵入を防止し、操作も容易で円滑に行うことができる戸当たりを提供すること。【解決手段】扉Ｄ側に配設されるマグネット１を備えた戸当たり本体２と、ストッパ片３を床面Ｆから出没するように揺動可能に配設した係止具本体４とを備え、扉Ｄが所定の位置にきたときに、マグネット１の吸着作用によりストッパ片３を床面Ｆより突出させて戸当たり本体２側に当接させ、それ以上の開扉を阻止するようにした戸当たりにおいて、戸当たり本体２に、上下の揺動によりストッパ片３に係脱可能に係止する係止片５と、戸当たり本体２に上下動可能に外嵌したカバー体６と、カバー体６の上下動により係止片５を操作する操作片７と、カバー体６を押し込みにより下降位置と上昇位置とに選択的に保持するノック機構８とを設ける。【選択図】図１
2009185535.tif 000002
【特許請求の範囲】
【請求項１】
扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、戸当たり本体に、上下の揺動によりストッパ片に係脱可能に係止する係止片と、戸当たり本体に上下動可能に外嵌したカバー体と、該カバー体の上下動により係止片を操作する操作片と、カバー体を押し込みにより下降位置と上昇位置とに選択的に保持するノック機構とを設けたことを特徴とする戸当たり。
【請求項２】
操作片を、カバー体の上部から垂下したピン状の突起で構成するとともに、該操作片を戸当たり本体に設けた縦長孔を介して内部に挿入したことを特徴とする請求項１記載の戸当たり。
【発明の詳細な説明】
【技術分野】
【０００１】
本発明は、戸当たりに関し、特に、床面のバリアフリー化を図るため床面からの突出高さを低くするとともに、フック掛けなどの面倒な操作をなくして確実に定位置で扉を停止させ、開扉状態を保持することができる戸当たりに関するものである。
【背景技術】
【０００２】
従来の戸当たりは、扉に当接する側にゴムなどの緩衝体を配設し、かつ、床面に突出するように取り付ける戸当たり本体と、扉側に取り付けた係止具とからなり、開扉時戸当たり本体に扉を当接するようにし、戸当たり本体に備えたフックを係止具に引っ掛けて係止できるようにしている。
これにより、扉を許容範囲以上に開かないようにするとともに、戸当たり本体に配設したフック或いは止め金具を、扉側の係止片に引っ掛けることにより、定位置で解放状態を保持するようにしている。
【０００３】
ところで、このような戸当たりにおいては、床面より上方に、少なくとも扉の下端部側面と接触するよう突出させて戸当たり本体を取り付けているため、床面に突起物が高く突出するものとなり、閉扉時にこれが通行の妨げとなったり、場合によっては、歩行時に躓いたりするという問題があった。
また、開扉状態を保つためには、腰を屈めて扉側に取り付けたフックを戸当たりに引掛け、また、扉を閉じる場合にもこのフックを外す作業を要し、特に高齢者にとってはフックの掛け外し時に腰を屈めての操作が困難になるという問題があった。
【０００４】
そこで、本件出願人は、下記特許文献により上記問題を解消した戸当たりを提案している。
この戸当たりは、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにしている。
【０００５】
この戸当たりは、戸当たり本体に、ストッパ片に係脱可能に係止する係止片と、該係止片を操作する操作片とを備えるが、操作片が戸当たり本体から側方に突出し、また、この操作片を左右に揺動させて操作することから、外観を損なうとともに、揺動操作のための切欠から埃が侵入するという問題があり、さらに、操作片は小さめに形成されるため、この小さな操作片を左右に揺動させるのは操作が難しいという問題もあった。
【特許文献１】特開２００４−３３２３２３号公報
【発明の開示】
【発明が解決しようとする課題】
【０００６】
本発明は、上記従来の戸当たりが有する問題点に鑑み、デザイン性に優れるとともに、埃の侵入を防止し、操作も容易で円滑に行うことができる戸当たりを提供することを目的とする。
【課題を解決するための手段】
【０００７】
上記目的を達成するため、本発明の戸当たりは、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、戸当たり本体に、上下の揺動によりストッパ片に係脱可能に係止する係止片と、戸当たり本体に上下動可能に外嵌したカバー体と、該カバー体の上下動により係止片を操作する操作片と、カバー体を押し込みにより下降位置と上昇位置とに選択的に保持するノック機構とを設けたことを特徴とする。
【０００８】
この場合において、操作片を、カバー体の上部から垂下したピン状の突起で構成するとともに、該操作片を戸当たり本体に設けた縦長孔を介して内部に挿入することができる。
【発明の効果】
【０００９】
本発明の戸当たりによれば、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、戸当たり本体に、上下の揺動によりストッパ片に係脱可能に係止する係止片と、戸当たり本体に上下動可能に外嵌したカバー体と、該カバー体の上下動により係止片を操作する操作片と、カバー体を押し込みにより下降位置と上昇位置とに選択的に保持するノック機構とを設けることから、戸当たり本体を覆う大きなカバー体を上下動させることにより、ストッパ片に対する係止片の係脱操作を行うことができ、これにより、操作を容易で円滑にするとともに、従来のような外に突出する操作片をなくすことにより、操作用切欠からの埃の侵入を防止するとともに、戸当たりのデザイン性を向上させることができる。
【００１０】
また、操作片を、カバー体の上部から垂下したピン状の突起で構成するとともに、該操作片を戸当たり本体に設けた縦長孔を介して内部に挿入することにより、戸当たり本体の隙間を極力小さくするとともに、上下に摺動するカバー体の案内とすることができる。
【発明を実施するための最良の形態】
【００１１】
以下、本発明の戸当たりの実施の形態を、図面に基づいて説明する。
【実施例１】
【００１２】
図１〜図６に、本発明の戸当たりの一実施例を示す。
この戸当たりは、扉Ｄ側に配設されるマグネット１を備えた戸当たり本体２と、ストッパ片３を床面Ｆから出没するように揺動可能に配設した係止具本体４とを備え、扉Ｄが所定の位置にきたときに、マグネット１の吸着作用によりストッパ片３を床面Ｆより突出させて戸当たり本体２側に当接させ、それ以上の開扉を阻止するようにしている。
そして、この戸当たりは、戸当たり本体２に、上下の揺動によりストッパ片３に係脱可能に係止する係止片５と、戸当たり本体２に上下動可能に外嵌したカバー体６と、該カバー体６の上下動により係止片５を操作する操作片７と、カバー体６を押し込みにより下降位置と上昇位置とに選択的に保持するノック機構８とを設けている。
【００１３】
係止具本体４は、図１に示すように、床面Ｆにフラットに取り付けられるように形成した係止具本体ベース４１と、該係止具本体ベース４１に枢支され、戸当たり本体２のマグネット１の励磁作用により吸着され先端部が突出するように揺動するストッパ片３と、ストッパ片３の上方を除いて係止具本体ベース４１の表面を覆うカバー４２とにより構成されている。
【００１４】
ストッパ片３には、先端側に係止片５が係合する貫通孔３１が形成されるとともに、基端部を軸３２により揺動可能になるように支持されている。
【００１５】
一方、戸当たり本体２は、裏蓋２２と共に扉Ｄにねじ固定されるケーシング２１を備え、該ケーシング２１は、下部が開口するとともに、上部の扉Ｄ側に、操作片７が挿通する縦長孔２３を設けている。
また、ケーシング２１は、その下部開口部に斜めに固定されたマグネット１のホルダ１ａと、該ケーシング２１の下部に揺動可能に枢着され、鉤状の先端部を下降させることによりストッパ片３の貫通孔３１に係止する係止片５とを備えている。
さらに、ケーシング２１には、カバー体６が上下に摺動可能に外嵌されるとともに、該カバー体６の上下動により係止片５を操作する操作片７と、カバー体６を押し込みにより下降位置と上昇位置とに選択的に保持するノック機構８とが設けられている。
【００１６】
係止片５は、ケーシング２１の下部に揺動可能に枢着され、鉤状の先端部を自重で下降させることによりストッパ片３の貫通孔３１に係止する。
また、係止片５は枢着部の後方に後部爪５１を有し、この後部爪５１を操作片７で押圧又は解放することにより、ストッパ片３に係脱するようにする。
【００１７】
カバー体６は、ケーシング２１に上から外嵌するとともに、側部の摺動溝６１とケーシング２１の突条２４とを嵌合させることにより、所定範囲で上下に摺動可能となっている。
カバー体６の上部には、カバー体６の上下動により係止片５を操作する２本のピン状の操作片７が垂設されている。
なお、図では省略しているが、カバー体６の前下部をケーシング２１に枢着し、カバー体６の後部を揺動により上下動するようにすることもできる。
【００１８】
操作片７は、カバー体６の上部から垂下した２本のテーパピン状の突起からなり、該操作片７は、ケーシング２１の縦長孔２３を介して内部に挿入されている。
操作片７は、図１（ａ）に示すように、カバー体６の下降位置で係止片５の後部爪５１を押し下げ、係止片５をストッパ片３から離脱する位置に揺動させる。
また、操作片７は、図１（ｂ）に示すように、カバー体６の上昇位置で後部爪５１を解放し、係止片５をストッパ片３に係止する位置に揺動させる。
【００１９】
ノック機構８は、図１〜図２に示すように、カバー体６とケーシング２１の間に介在し、カバー体６を上昇方向に付勢するばね８１と、カバー体６からケーシング２１側に延設されたピン部材８２と、ケーシング２１側でピン部材８２の先端部を案内するノック溝８３とを備えている。
ノック溝８３は、カバー体６を押し込む１動作毎に、ピン部材８２を下降位置と上昇位置とで交互に支持することができ、これにより、カバー体６を下降位置と上昇位置とに選択的に保持することができる。
なお、このノック機構８は、ノック式ボールペンなどに広く採用されており、これ以上の詳しい説明は省略する。
【００２０】
かくして、本実施例の戸当たりは、扉Ｄ側に配設されるマグネット１を備えた戸当たり本体２と、ストッパ片３を床面Ｆから出没するように揺動可能に配設した係止具本体４とを備え、扉Ｄが所定の位置にきたときに、マグネット１の吸着作用によりストッパ片３を床面Ｆより突出させて戸当たり本体２側に当接させ、それ以上の開扉を阻止するようにした戸当たりにおいて、戸当たり本体２に、上下の揺動によりストッパ片３に係脱可能に係止する係止片５と、戸当たり本体２に上下動可能に外嵌したカバー体６と、該カバー体６の上下動により係止片５を操作する操作片７と、カバー体６を押し込みにより下降位置と上昇位置とに選択的に保持するノック機構８とを設けることから、戸当たり本体２を覆う大きなカバー体６を上下動させることにより、ストッパ片３に対する係止片５の係脱操作を行うことができ、これにより、操作を容易で円滑にするとともに、従来のような外に突出する操作片７をなくすことにより、操作用切欠からの埃の侵入を防止するとともに、戸当たりのデザイン性を向上させることができる。
【００２１】
また、操作片７を、カバー体６の上部から垂下したピン状の突起で構成するとともに、該操作片７を戸当たり本体２に設けた縦長孔２３を介して内部に挿入することにより、戸当たり本体２の隙間を極力小さくするとともに、上下に摺動するカバー体６の案内とすることができる。
【００２２】
以上、本発明の戸当たりについて、その実施例に基づいて説明したが、本発明は上記実施例に記載した構成に限定されるものではなく、その趣旨を逸脱しない範囲において適宜その構成を変更することができる。
【産業上の利用可能性】
【００２３】
本発明の戸当たりは、デザイン性に優れるとともに、埃の侵入を防止し、操作も容易で円滑に行えるという特性を有していることから、汎用の戸当たりとして広く好適に用いることができる。
【図面の簡単な説明】
【００２４】
【図１】本発明の戸当たりの一実施例を示し、（ａ）はカバー体を下降位置にした状態を示す断面図、（ｂ）はカバー体を上昇位置にした状態を示す断面図である。
【図２】同戸当たりを示し、（ａ）はカバー体を上昇位置にした２面図、（ｂ）はカバー体を下降位置にした３面図である。
【図３】戸当たり本体のケーシングを示し、（ａ）〜（ｅ）はその５面図、（ｆ）は同断面図である。
【図４】カバー体を示し、（ａ）〜（ｅ）はその５面図、（ｆ）は同断面図、（ｇ）は（ｃ）の部分拡大図である。
【図５】（ａ）は係止片を示す４面図、（ｂ）はマグネットホルダの３面図である。
【図６】ケーシングの裏蓋を示す４面図である。
【符号の説明】
【００２５】
１    マグネット
１ａ  マグネットホルダ
２    戸当たり本体
２１  ケーシング
２２  裏蓋
２３  縦長孔
２４  突条
３    ストッパ片
３１  貫通孔
３２  軸
４    係止具本体
４１  係止具本体ベース
４２  カバー
５    係止片
５１  後部爪
６    カバー体
６１  摺動溝
７    操作片
８    ノック機構
８１  ばね
８２  ピン部材
８３  ノック溝
【図１】
2009185535.tif 000003
【図２】
2009185535.tif 000004
【図３】
2009185535.tif 000005
【図４】
2009185535.tif 000006
【図５】
2009185535.tif 000007
【図６】
2009185535.tif 000008